(57)【要約】      （修正有）【課題】巻回されたシートを容易に括ることを可能にする保持部材及びそれを用いた巻物を提供する。【解決手段】巻物は、軸部と、シートと、保持部材と、を備え、保持部材は、本体シート１１と、舌片１３と、挿通孔１５と、差込口１７とを備える。シートが完全に巻回された際、保持部材の本体シート１１をシートの外周に巻回させ、本体シート１１の一端部と他端部とを対向させて、舌片１３を挿入孔１５に挿入し、折れ線１９に沿って、舌片１３を折り返し、差込口１７に差し込む。これにより、本体シート１１の一端部と他端部とが連結されるため、児童がシートを容易に括ることができる。【選択図】図３
0003231836.tif 000002
【実用新案登録請求の範囲】
【請求項１】
シートを巻回された状態で保持するためのシート状の保持部材であって、
巻回された前記シートの外周に巻回される本体シートと、
前記本体シートの一端から突出された舌片と、
前記本体シートの他端部に開口され、前記舌片が挿入される挿通孔と、
前記本体シートの一端部に形成されて、前記挿通孔に挿通された折り返された前記舌片の先端部が差し込まれる差込口と、を備えることを特徴とする保持部材。
【請求項２】
単一のシートからなることを特徴とする請求項１に記載の保持部材。
【請求項３】
巻回されるシートに請求項１又は２に記載の保持部材が一体に設けられたことを特徴とする巻物。
【請求項４】
前記シートと、該シートを巻き付ける軸部と、前記保持部材とは、紙製であることを特徴とする請求項３に記載の巻物。
【考案の詳細な説明】
【技術分野】
【０００１】
本考案は、シートを巻回された状態で保持する保持部材及びそれを用いた巻物に関するものである。
【背景技術】
【０００２】
従来、文字や絵などが記載された長尺の紙（シート）を巻回した巻物には、巻回されたシートが広がらないように、シートの巻回状態を保持する保持部材が備えられている。例えば、保持部材として、巻回されたシートの外周から括る紐が知られている（例えば、特許文献１参照）。
【先行技術文献】
【特許文献】
【０００３】
【特許文献１】特開２０１３−９５１３０号公報
【考案の概要】
【考案が解決しようとする課題】
【０００４】
ところで、上述の紐を利用した巻物は、児童の学習教材として用いられることがある。巻物を学習教材として使用する際、児童自ら、紐を解いて、シートを広げる、また、紐を結んで、シートを括るという作業を行っている。特に、低年齢の児童にとって、紐を結んで、シートを括るという作業が難しいという問題がある。
【０００５】
本考案は、上記の点に鑑みてなされたものであり、巻回されたシートを容易に括ることができる保持部材及びそれを用いた巻物を提供することを目的とする。
【課題を解決するための手段】
【０００６】
上記の課題を解決するために、請求項１に係る考案は、シートを巻回された状態で保持するためのシート状の保持部材であって、巻回された前記シートの外周に巻回される本体シートと、前記本体シートの一端から突出された舌片と、前記本体シートの他端部に開口され、前記舌片が挿入される挿通孔と、前記本体シートの一端部に形成されて、前記挿通孔に挿通された折り返された前記舌片の先端部が差し込まれる差込口と、を備えることを特徴とする。
請求項２に係る考案は、単一のシートからなることを特徴とする。
請求項３に係る考案は、巻物は、巻回されるシートに請求項１又は２に記載の保持部材が一体に設けられたことを特徴とする。
請求項４に係る考案は、前記シートと、該シートを巻き付ける軸部と、前記保持部材とは、紙製であることを特徴とする。
【考案の効果】
【０００７】
本願考案の保持部材及び巻物によれば、巻回されたシートを容易に括ることができる。
【図面の簡単な説明】
【０００８】
【図１】本考案の一実施形態に係る巻物を示す図であり、（ａ）は正面図、（ｂ）は背面図である。
【図２】図１に示す巻物のシートを広げた状態の図であり、（ａ）は正面図、（ｂ）は背面図である。
【図３】図１に示す保持部材の動作工程を示す結合部の部分拡大図である。
【考案を実施するための形態】
【０００９】
以下、本考案の一実施形態に係る保持部材を利用した巻物の構成を図１〜図３に基づいて詳細に説明する。
図１及び２に示すように、巻物１は、軸部３と、シート５と、保持部材７と、を備える。
【００１０】
軸部３は、シート５を巻き付けるためのものであり、紙製の円筒部材である。シート５は、長尺帯状の紙製シートであり、その一端部（基端部）が、接着剤等により、軸部３の外周面に貼り付けられている（図２参照）。また、シート５は、その他端部（先端部）の中央部が突出されて、突出片９が設けられている。シート５には、文字や絵などが記載（印刷）される。
【００１１】
保持部材７は、シート５を巻回された状態で保持するための紙製のシート状部材であり、図２（ｂ）に最もよく示されているように、本体シート１１と、舌片１３と、挿通孔１５と、差込口１７とを備える。本体シート１１は、略長方形状であり、各角部に丸みが付けられている。本体シート１１は、シート５の突出片９を覆うように、その一端部がシート５の先端部の外周面に、接着剤等により、貼り付けられている。舌片１３は、本体シート１１の一端中央部から突出され、先端が尖った矢じり状を呈する。舌片１３の幅は、本体シート１１の幅より狭い。挿通孔１５は、本体シート１１の短手方向に延びる長方形状を呈し、本体シート１１の他端部に開口されている。本体シート１１の挿通孔１５の周囲よりも他端側は、シート５に貼り付けられていない。差込口１７は、円弧状のスリット（切込）であり、本体シート１１の一端側に形成されている。差込口１７は、シート５の突出片９よりも突出した位置に配置されている。
【００１２】
次に、本実施形態に係る保持部材７を用いたシート５の巻回保持及び展開方法について説明する。
まず、シート５を軸部３に巻回しその巻き終わりに、保持部材７の本体シート１１をシート５の外周に巻回して、本体シート１１の一端部と他端部とを対向させる（図３（ａ）参照）。そして、舌片１３の先端部を、本体シール１１の裏面側から挿入孔１５に挿入する（図３（ｂ）参照）。その後、折れ線１９に沿って、舌片１３を折り返し、折り返した舌片１３の先端部を差込口１７に差し込む（図３（ｃ）参照）。これにより、本体シート１１の一端部と他端部とが連結され、シート５の巻回状態を保持することができる。
一方、保持部材７の本体シート１１の一端部と他端部との連結を解除する場合、舌片１３の先端部を差込口１７から抜き、折れ線１９に沿って、舌片１３を展開させる。その後、舌片１３を挿入孔１５から抜く。これにより、本体シート１１の一端部と他端部との連結が解除され、シート５を広げることができる。
【００１３】
なお、保持部材７の本体シート１１は、その一端部がシート５の先端部の外周面に貼り付けられていが、シート５と別体としてもよい。
【００１４】
以上、本実施形態に係る保持部材７を利用した巻物によれば、次のような作用効果を得ることができる。
舌片１３を挿入孔１５に挿入後、折れ線１９に沿って、舌片１３を折り返し、差込口１７に差し込むことで、本体シート１１の一端部と他端部とが連結されるため、児童がシート５を容易に括ることができる。また、シート５の巻回状態を適切に保持することができ、
【００１５】
また、軸部３、シート５及び保持部材７を紙製とすることにより、コストを抑えると共に、環境保護に資することができる。
【００１６】
なお、本実施形態に係る保持部材７において、舌片１３は、矢じり状を呈しているが、この他、例えば、フック状に形成し、差込口１７に引っ掛けるように構成してもよい。
【符号の説明】
【００１７】
５…シート、７…保持部材、１１…本体シート、１３…舌片、１５…挿入孔、１７…差込口、１９…折れ線
【図１】
0003231836.tif 000003
【図２】
0003231836.tif 000004
【図３】
0003231836.tif 000005